(57)【特許請求の範囲】
【請求項１】
外管本体、この外管本体の外周壁面との間に軸方向に沿う摺動室を形成するカバー体とから構成された外管と；
前記摺動室内に位置する前記外周壁面に軸方向に沿って設けられるとともに、一端側を前記外管本体の一端側に配置された接触片に接続された一対の給電レールと、前記外管本体内に移動可能に挿入される内管本体、この内管本体の一端部側に基部側を固定されるとともに軸方向に沿って形成された複数の係合凹部を有し、内管本体の移動とともに前記摺動室内を移動するブリッジ体とから構成された内管と；
一端側に前記内管本体の一端側に軸方向に向けて突出する接続ピンを有し、他端側に前記給電レールに摺接する摺接片を有するとともに、前記ブリッジ体に互いに離間させて軸方向に沿って配設された一対の導電性金属棒と；
前記外管本体の他端側のカバー体に設けられ、前記ブリッジ体に形成した係合凹部に係脱するとともに常時は付勢バネによって前記係合凹部に係合する係合凸部を有する固定手段と；
を具備し、
前記接続ピンを前記導電性金属棒と一体に形成したことを特徴とする伸縮延長管。
【請求項２】
請求項１記載の伸縮延長管の内管の一端側および外管の一端側をそれぞれ掃除機本体の吸込口に接続した吸込ホースの握り管および吸込口体の接続管に接続することを特徴とする電気掃除機。
【発明の詳細な説明】
【０００１】
【発明の属する技術分野】
この発明は、電気掃除機に用いられる伸縮延長管およびこの伸縮延長管を用いた電気掃除機に関する。
【０００２】
【従来の技術】
従来、電気掃除機は、掃除機本体の吸込口に一端側を接続した吸込ホースの他端側に複数の管からなる伸縮延長管を接続し、この伸縮延長管の先端に回転清掃体を回転させる電動機を備えた床ブラシなどの吸込口体を接続して掃除をするようにしたものが多く使用されている。
【０００３】
そして、上記伸縮延長管（以下単に延長管という）は、一般には外管とこの外管内にその軸方向に移動可能に挿入された内管とから構成され、内管の外管からの突出長を変えて全長を所望の長さに調節するとともに、この調節した長さ状態を固定手段によって保持するようにしているものである。
【０００４】
また、前記床ブラシに設けた電動機に電力を供給するつまり給電するために、掃除機本体側から延長管に沿わせて設けたコードによってなすようにするものが最も基本的な構成であるが、このようにコードを延長管に配設する構成では、外観も悪く、また、コードが突出物に引っ掛かって断線するなどの不具合が生じるという問題がある。
【０００５】
この問題を解決するために、前記床ブラシの電動機に給電する導体を前記延長管の外管および内管に配設するように構成したものがある。つまり、内管の外周壁面にレール状の導体を設け、この内管に設けたレール状の導体に電気的に導通するようにレール状の導体を外管に設け、外管に対して内管を移動させた際に前記内管に設けたレール状の導体と、外管に設けたレール状の導体とを電気的に導通状態に維持して床ブラシに設けた電動機に給電するように構成されているもの、あるいは、外管と内管との間に伸縮するコイルバネまたはフレキシブルコードなどを配設し、延長管の伸縮に伴ってコイルバネを伸縮させまたフレキシブルコードを移動させるようにしたものがある。
【０００６】
このように構成した場合は、延長管の一方側つまり外管には、この外管を吸込ホースの握り管に接続した際に、吸込ホースの握り管に設けた弾性板からなる一対の接続片に接続する接続ピンを設ける必要がある。
【０００７】
そして、前記延長管の外管に設ける接続ピンは、外管に設けた前記レール状の導体に半田付けなどによって接続しなければならないとともに、確実に接続されているかどうかを確認することが必要となる。
【０００８】
【発明が解決しようとする課題】
上述のように回転清掃体とこの回転清掃体を回転させる電動機とを設けた床ブラシと吸込ホースとを接続する延長管においては、吸込ホースの握り管に設けた弾性板からなる一対の接続片に接続する接続ピンを外管に設けたレール状導体に半田付けなどによって接続しなければならないとともに、確実に接続されているかどうかを確認する必要がある。
【０００９】
このため、接続ピンが必要であることからコスト的に高くなり、また、接続ピンをレール状導体に接続する工程を要するとともに、確実に接続がされたかどうかの確認をするための確認工程とが必要となるため組立工数が多くなり、この点からもコスト的に高くなるという問題がある。
【００１０】
【課題を解決するための手段】
この発明は上記事情に鑑みてなされたもので、請求項１記載の発明は、外管本体、この外管本体の外周壁面との間に軸方向に沿う摺動室を形成するカバー体とから構成された外管と；前記摺動室内に位置する前記外周壁面に軸方向に沿って設けられるとともに、一端側を前記外管本体の一端側に配置された接触片に接続された一対の給電レールと、前記外管本体内に移動可能に挿入される内管本体、この内管本体の一端部側に基部側を固定されるとともに軸方向に沿って形成された複数の係合凹部を有し、内管本体の移動とともに前記摺動室内を移動するブリッジ体とから構成された内管と；一端側に前記内管本体の一端側に軸方向に向けて突出する接続ピンを有し、他端側に前記給電レールに摺接する摺接片を有するとともに、前記ブリッジ体に互いに離間させて軸方向に沿って配設された一対の導電性金属棒と；前記外管本体の他端側のカバー体に設けられ、前記ブリッジ体に形成した係合凹部に係脱するとともに常時は付勢バネによって前記係合凹部に係合する係合凸部を有する固定手段と；を具備し、前記接続ピンを前記導電性金属棒と一体に形成した伸縮延長管としたものである。
【００１１】
この請求項１記載の発明では、接続ピンを導電性金属棒に一体に形成したため、接続ピンを別に設ける必要がなく部品点数を少なくできるとともに、接続ピンを接続する接続工程および接続状態を確認するための確認工程をなくすことができることから組立工数を低減できるとともに安価とすることができるという作用を有するものである。
また、前記導電性金属棒によってブリッジ体の曲げ強度を大きくでき、また、この曲げ強度を大きくできることからブリッジ体の厚み寸法を小さくできるため摺動室を小さくでき伸縮延長管の外径を小さくできるという作用を有するものである。
【００１２】
また、請求項２記載の発明は、請求項１記載の伸縮延長管の内管の一端側および外管の一端側をそれぞれ掃除機本体の吸込口に接続した吸込ホースの握り管および吸込口体の接続管に接続することとした電気掃除機としたものである。
【００１３】
この請求項２記載の発明は、請求項１記載の発明の作用に加えて、導電性金属棒と接続ピンとは一体に形成されているため、別体に形成されている場合のように長期に亘る使用においても接続部が離れることによる導通不良をなくすことができるという作用を有するものである。また、導通不良に起因する吸込口体に設けた電動機の動作不良を防止できることから掃除の操作性を向上させることができるという作用を有するものである。
【００１４】
【発明の実施の形態】
つぎに、この発明の実施の形態を図１ないし図８に基いて説明する。
図１は電気掃除機１に吸込ホース２０、延長管３０および吸込口体である床ブラシ８０を接続した状態の斜視図である。そして、前記電気掃除機１は、従来周知の電気掃除機と同様に構成されているものである。つまり、上部ケース１１と下部ケース１２とを図示しないネジによって結合して一体に形成され、内部に集塵室（不図示）、送風気室（不図示）およびリール室（不図示）などが形成された本体ケース１０と、この本体ケース１０の前記集塵室、送風機室およびリール室に収納された図示しないフィルター、電動送風機およびコードリール装置などから構成されている。
【００１５】
また、前記本体ケース１０の前部には前記集塵室に連通している吸込口１３が形成されており、また、本体ケース１０つまり上部ケース１１には前記図示しない集塵室の上方に形成された同様に図示しない開口を開閉する開閉蓋１４が設けられており、前記図示しない開口を介してフィルターが出し入れできるようになっている。
【００１６】
また、本体ケース１０の後部両側壁には走行車輪１５が取り付けられており、また、前部下面には図示しない旋回輪が取り付けられているものである。また、本体ケース１０内にはマイクロコンピューターなどからなる制御手段が設けられている。
【００１７】
また、前記吸込ホース２０は、蛇腹状に形成された可撓性のホース２１、このホース２１の一端側に接続され前記本体ケース１０の吸込口１３に着脱可能に接続される接続具２２および他端側に接続された握り管である把手部２３とから構成されており、そして、この吸込ホース２０は前記接続具２２を前記本体ケース１０の吸込口１３に嵌合することによって本体ケース１０に接続されるものである。
【００１８】
また、前記把手部２３には、把手２４が一体に設けられており、この把手２４の前面部には前記図示しない電動送風機を制御する複数の制御スイッチ２５が配設されており、これら制御スイッチ２５からの制御信号は図示しないが前記ホース２１内に配設された信号線、前記接続具２２に設けた図示しない接続ピンを介して本体ケース１０内に配設された前記制御手段に送られるようになっている。
【００１９】
また、把手部２３の先端部には後述する延長管３０を嵌合させる嵌合口２６が形成されており、また、この嵌合口２６の上面側（使用する際に上側となる面側）には、一対のピン挿入穴（不図示）が形成され、このピン挿入穴の奥部には、延長管３０に配設された後述する導電性金属棒５７に接続された接続ピン５７ａと電気的に接触する弾性板からなる接続片２６ａが設けられており、この接続片２６ａは、前記ホース２１内に配設された給電線、および接続具２２に設けた図示しない接続ピンを介して前記コードリール装置を通して電源と電気的に接続されるようになっている。
【００２０】
また、把手部２３の嵌合口２６の上部には、図２、図３に示すように接続された延長管３０をその状態に保持する操作つまみ２７ａ、係合爪２７ｂおよび係合爪２７ｂを後述する内管本体５１に設けた係合凹部５２ｃに係合させる付勢ばね２７ｃとから構成された固定手段２７が設けられている。
【００２１】
つぎに、吸込ホース２０の把手部２３の前記嵌合口２６に接続される延長管３０について説明する。
この延長管３０は外管４０と内管５０とから構成されている。そして、前記外管４０は、図２ないし図４および図５に示したように、外管本体４１、この外管本体４１の上面側に一体に取り付けられたカバー体４２とから構成されている。そして、外管本体４１の後に詳述する内管５０側（以下他端側という）には、支持台４８が設けられている。
【００２２】
また、前記外管本体４１の前記他端側端部には、図５などに示すように端面から所定の長さに亘って径大とした嵌合部４１ａが形成されており、この嵌合部４１ａの奥部には第一のガイド管４３が配置され、また、前部側には鍔部４４が形成された第二のガイド管４５が配置され、また、これら第一のガイド管４３と第二のガイド管４５との間に位置して両ガイド管４３および４５によって位置決めされて断面Ｔ字状のシールリング４６（図２、図３においては単に方形断面として示した）が配置されている。
【００２３】
そして、第一のガイド管４３および第二のガイド管４５は後に詳述する前記内管５０の内管本体５１が外管４０の外管本体４１内を軸方向に移動する際に、この内管本体５１をガイドするものであり、前記シールリング４６は外管４０の外管本体４１の内周面と内管５０の内管本体５１の外周面との間から外部の空気が流入することを防止するように機能するものである。
【００２４】
また、前記外管本体４１の内壁の図２などにおいて上部には、軸方向に沿って図示しないガイド溝が形成されており、このガイド溝には前記内管５０の内管本体５１の外管４０側の端部に設けた同様に図示しないストッパーが摺動可能に嵌合し、このストッパーによって内管本体５１の外管４０の外管本体４１に対する周方向への回り止めをするとともに、このストッパーは前記ガイド溝の前記他端部側に位置する前記第一のガイド管４３の端縁に当接して内管５０の外管本体４１からの抜止をするようになっている。
【００２５】
また、前記カバー体４２は図示しないネジなどの取付手段によって外管本体４１の上面側に取り付けられており、このカバー体４２の内面と外管本体４１の外周壁とによって摺動室３１（図２ないし図５参照）が形成されている。この摺動室３１に位置する前記外管本体４１の外周壁面には、導電性および弾性を有する材料からなる薄板で形成された二本の給電レール４７が図４に示すように所定の間隔離間させて軸方向に平行状態にして図示しないネジによって固定されて配設されており、また、この給電レール４７の後述する床ブラシ８０側端部には、前記床ブラシ８０の接続管８２に設けた接続ピン８３と接続される接続片１４０が形成されている。
【００２６】
そして、この接続片１４０は、プレス加工によって給電レール４７と一体に形成されており、したがって、従来のように接続片１４０を半田付けなどにより給電レール４７に接続する必要はなく、また、一体となっていることから電気的導通不良が発生することもないものである。
【００２７】
前記接続片１４０は図８に示すように、給電レール４７の前記一端部のうちの基部側を一部を連結した状態で略直角に折り曲げ、この折り曲げた部分のその先端部には、内側つまり前記連結した部分側に向けて折り曲げて傾斜面とした接触片部１４１が形成され、また、前記接触片部１４１の前記連結側近傍にコ字状部１４２が形成されている。
【００２８】
また、前記外管本体４１の前記床ブラシ８０が接続される側（以下一端側という）の上面には、図７に示すように貫通孔４１ｐが形成され、また、この貫通孔４１ｐよりも端部側に位置して、後述する固定手段７０のばね７１の一端を支持する突起４１ｂが形成されている。
【００２９】
また、前記上面には同図に示すように、前記貫通孔４１ｐおよび突起４１ｂの中心を通る中心線を中心として互いに対向する対向辺４１ｃ、４１ｃを有する略コ字状に形成された内側リブ４１ｄが形成され、また、この内側リブ４１ｄの前記両対向辺４１ｃ、４１ｃの先端側の外側に位置して対向辺４１ｆ、４１ｆを有する略コ字状の外側リブ４１ｇが形成されており、また、対向辺４１ｆ、４１ｆの後端側には前記接続片１４０の接触片部１４１の外側部を位置決めする位置決め部４１ｈ、４１ｈが形成されており、そして、外側リブ４１ｇの先端側片４１ｉ、両対向辺４１ｆ、４１ｆおよび両位置決め部４１ｈ、４１ｈによって、図７に示すように接続片１４０の接触片部１４１の外側面を位置決めし、また、コ字部１４２の内側面は前記内側リブ４１ｄの両対向辺４１ｃ、４１ｃの外側面によって位置決めされて外管本体４１に一端側先端部に配置されるものである。
【００３０】
また、外側リブ４１ｇの先端側片４１ｉには前記対向辺４１ｃ、４１ｃの外側面に近接した位置にピン挿入孔４１ｊの下側半分を形成する半円状の溝が形成されている。なお、ピン挿入孔４１ｊの上側半分を形成する半円状の溝は図示しないが前記カバー体４２に形成されている。
【００３１】
そして、接続片１４０を外管本体４１に配置したときは、前記接触片部１４１の傾斜面は互いに対向するとともに、その先端部１４１ａは前記内側リブ４１ｄの対向辺４１ｃ、４１ｃの外側面に近接した状態となっており、この状態で前記接続管８２に設けた接続ピン８３が前記ピン挿入孔４１ｊから挿入されると、接続ピン８３は、前記接触片部１４１の弾性力によって互いに圧接状態で接触し、このことによって接続ピン８３と接触片部１４１とは電気的に導通状態に接続されるものである。
【００３２】
また、前記第二のガイド管４５の鍔部４４には、つぎに述べる支持台４８に形成した貫通孔４８ｄを介して前記摺動室３１に連通する貫通孔４４ａが形成されている。
【００３３】
また、前記支持台４８の内部には軸方向に沿って形成され前記摺動室３１に連通する前記貫通孔４８ｄが設けられている。また、支持台４８の上壁の軸方向略中間部には貫通孔４８ａが形成され、また、その他端部にはバネ受突起４８ｂが形成されている。また、支持台４８の前記貫通孔４８ａとバネ受突起４８ｂとの間の両側にはそれぞれ軸受部４８ｃ（図５参照）が形成されている。
【００３４】
また、前記外管本体４１の上面には図４、図７に示すように互いに対向するとともに軸方向に沿って形成された一対の嵌合リブ４１ｋが形成され、この両嵌合リブ４１ｋの間には図示しないネジ穴が形成されている。このネジ穴に対応して前記給電レール４７の長手方向両端部を図示しないネジ孔が形成されており、このネジ孔に図示しないネジを挿通して前記ネジ穴に螺合することにより、給電レール４７は外管本体４１に取り付けられるものである。
【００３５】
また、前記カバー体４２は、図４に示すように断面略コ字状に形成され、その両側には互いに対向するとともに前記外管本体４１に形成した嵌合リブ４１ｋに長手方向側壁を嵌合させて前記図示しないネジによって外管本体４１に取り付けられるものである。
【００３６】
また、前記支持台４８に対向するカバー体４２の上面には、つぎに説明する固定手段６０の操作つまみ６４を露出させるための方形状の開口４２ｍが形成されている。
【００３７】
そして、この固定手段６０は、図５などに示すように外管４０の外管本体４１の前記他端側の前記カバー体４２と外管本体４１の外周面との間に形成した前記摺動室３１に設けられているものであり、ブリッジ体５６に形成した係合凹部５６ａに係脱する係合凸部としての係止体６１、この係止体６１を離脱させる方向に移動させるアーム６６および係合させるように押圧する押圧突起６５ｂを有する操作つまみ６４、前記係止体６１を係合凹部５６ａに係合させる方向に付勢するように操作つまみ６４を付勢する付勢バネ６９とから構成されているものである。
【００３８】
そして、前記係止体６１は、円柱体状に形成されるとともに、図５などに示すように軸方向上端側には、環状の鍔部６２が形成されており、その下方部先端部は係合部となっているものである。
【００３９】
また、前記操作つまみ６４は、天井壁６５ａを底壁とし下方を開放した有底箱状に形成されたつまみ部６５と、このつまみ部６５に一体に取り付けられるとともに互いに離間した一対のアーム６６とから構成されている。また、つまみ部６５の両側壁には軸６８が形成されており、この軸６８の下側を前記軸受部４８ｃに軸支するとともに上側を前記カバー４２に前記軸受部４８ｃと対向して形成した図示しない軸受部に軸支して前記支持台４８に配置されて摺動室３１に設けられているものである。
【００４０】
また、前記両アーム６６の先端部は、前記係止体６１の鍔部６２の下面に当接しており、操作つまみ６４が軸６８を支点として図５において反時計方向に回動すると、この回動に伴って前記係止体６１を上方に移動させてその先端部つまり係合部を前記ブリッジ体５６に形成した係合凹部５６ａから離脱させるように機能するものである。
【００４１】
また、つまみ部６５の天井壁６５ａの前記係止体６１の上端面に対向する位置には、前記押圧突起６５ｂが形成されており、また、天井壁６５ａの前記押圧突起６５ｂの反対側には、バネ受突起６５ｃが形成されている。
【００４２】
そして、このバネ受突起６５ｃと前記支持台４８に形成したバネ受突起４８ｂに前記付勢バネ６９であるコイルバネの両端部が嵌合して取り付けられているものである。
【００４３】
また、前記押圧突起６５ｂは操作つまみ６４が前記付勢バネ６９によって、図５において時計方向に回動させられたとき、係止体６１の上端面を押圧して係止体６１の先端部すなわち係合部を係合凹部５６ａに係合させるように機能するものである。
【００４４】
つまり、操作つまみ６４が付勢バネ６９によって付勢されて軸６８を支点として時計方向に回動させられると、係止体６１は前記付勢バネ６９の付勢力によって押圧される押圧突起６５ｂによって押圧されて係合凹部５６ａに係合し、操作つまみ６４を指先によって前記付勢バネ６９の付勢力に抗して押圧して反時計方向に回動すると係止体６１は、その鍔部６２の下面に当接しているアーム６６によって上方に押上げられるつまり移動し前記係合凹部５６ａから離脱するものである。
【００４５】
そして、係止体６１が係合孔凹部５６ａから離脱した状態では、後に詳述する内管５０は外管４０に対して軸方向に移動させることができ、このことによって延長管３０を所望の長さに調節できるものである。
【００４６】
なお、固定手段６０は、上記のように前記貫通孔４８ａを介してその先端部を係合凹部５６ａに係脱する係止体６１と、この係合体６１を係合凹部５６ａから係脱する方向に移動させるアーム６６および係止体６１を係合凹部孔５６ａに係合させる方向に押圧する押圧突起６５ｂを有し支点軸である軸６８を介して外管４０に回動可能に設けられた操作つまみ６４と、前記押圧突起６５ｂが係合体６１を押圧する方向に付勢する付勢バネ６９とによって構成されているものであることからその構成を簡単にできるものである。
【００４７】
また、外管４０の一端側の前記摺動室３１内には、後述する床ブラシ８０の接続管８２を抜止して固定する固定手段７０が設けられており、この固定手段７０は先端部に係合爪７２が形成されるとともに軸７３を回動支点として配設された操作つまみ７１と、この操作つまみ７１を軸７３を回動支点として係合爪７２を前記外管本体４１に形成した貫通孔４１ａから常時管内に突出させるように付勢するコイルバネ７４とから構成されている。また、前記操作つまみ７１はカバー体４２に形成した開口４２ｎから外部に露出している。
【００４８】
なお、前記コイルバネ７４は、前記突起４１ｂと突起７５とによって両端を位置決めされて取り付けられている。
【００４９】
つぎに、前記内管５０について説明する。
この内管５０は、前記外管４０の外管本体４１内に軸方向に移動可能に挿入される内管本体５１と、この内管本体５１に取り付けられたブリッジ体５６とから構成されている。
【００５０】
そして、前記内管本体５１の前記把手部２３側（以下一端側という）には、この把手部２３に形成した嵌合口２６に嵌合する嵌合筒部５２が形成されている。この嵌合筒部５２の先端部には、環状溝５２ａ（図４参照）が形成されており、この嵌合溝５２ａには前記嵌合口２６の内周壁との気密性を保持するためのシールリング５２ｂが取り付けられている。
【００５１】
また、嵌合筒部５２には、この嵌合筒部５２を前記嵌合口２６に嵌合接続した際に、把手部２３に設けた前記固定手段２７の係合爪２７ｂが係合する係合凹部５２ｃが形成されており、この嵌合凹部５２ｃと係合爪２７ｂとの係合により嵌合筒部５２つまり延長管３０の内管５０は抜け止めされるようになっているものである。
【００５２】
また、内管本体５１の一端側には径大とした環状部５３が形成されており、この環状部５３の一端側端面は、前記把手部２３の嵌合口２６の先端部に当接する位置決め面５３ａとなっており、また、環状部５３の上面側（使用時に上面となる側）には、上方を開口した凹部５３ｂが形成されており、この凹部５３ｂにはねじ穴が形成された取付ボス５３ｃが形成されている。
また、前記凹部５３ｂの開口は、前記取付ボス５３ｃに螺合するねじ５８によって取り付けられる蓋部材５３ｄによって覆われるようになっている。
【００５３】
また、前記ブリッジ体５６は、合成樹脂からなり図６に示すように断面略方形状とした短冊状に形成されており、また、内部には互いに離間させて平行に配置した一対の導電性金属棒（以下金属棒という）５７が一体成型により埋設されている。
そして、この金属棒５７の一端側は前記ブリッジ体５６の一端側（基部側）の端面より軸方向沿って突出されている。この突出させた部分は、前記把手部２３の嵌合口２６に設けた一対の接続片２６ａに圧接状態で接触する接続ピン５７ａとなっている。つまり、金属棒５７の一端部側を接続ピン５７ａとしたものであり、このことによって、接続ピン５７ａを半田付けなどにより接続する必要はなく、また、接続不良による電気的導通不良が生じることはないものである。
【００５４】
また、金属棒５７の他端（先端）側には、導電性および弾性を有する薄板からなる摺接片５７ｂが接続されており、この摺接片５７ｂの先端部は前記給電レール４７に圧接状態で摺接し、給電レール４７と金属棒５７とを電気的に導通状態とさせるものである。
【００５５】
また、ブリッジ体５６に上面には、長手方向に沿って複数の係合凹部５６ａが所定間隔置きに形成されており、この係合凹部５６ａには前記固定手段６０の係合凸部としての係止体６１が係脱可能に係合するようになっている。
【００５６】
そして、前記ブリッジ体５６の前記接続ピン５７ａが突出した側には、前記凹部５３ｂに形成した取付ボス５３ｃが嵌合する嵌合凹部５６ｂが形成され、この嵌合凹部５６ｂの中心部には前記ねじ５８を貫通させる貫通孔５６ｃが形成されている。
【００５７】
そして、ブリッジ体５６の内管本体５１への取付は、前記嵌合凹部５６ｂを前記取付ボス５３ｃに嵌合させることによりその一端側つまり基部側を凹部５３ｃ内に位置させた後、前記蓋部材５３ｄを凹部５３ｂの開口を覆うように配置し、前記ねじ５８を前記取付ボス５３ｃに螺合することによって片持ち状態として取り付けられるものである。
【００５８】
そして、ブリッジ体５６を内管本体５１に取り付けた状態では、内管本体５１の外周壁と小間隙を介して軸方向に平行に位置しているものである。
【００５９】
そして、内管５０の外管４０への取付は、内管本体５１の他端側端部を外管４０の外管本体４１の他端側から挿入し、また、ブリッジ体５６の先端を前記開口４４ａを介して摺動室３１内に挿入することによってなされる。取り付けられた状態では、ブリッジ体５６の先端側に設けられている前記摺接片５７ｂは前記給電レール４７に圧接しており、内管５０を外管４０に対して軸方向に移動させると、摺接片５７ｂは、給電レール４７に圧接しつつ移動つまり摺接するものである。
【００６０】
つぎに、前記延長管３０の内管５０の先端部に接続される床ブラシ８０について説明する。この床ブラシ８０は、床ブラシ本体に電動機とこの電動機によって駆動される回転清掃体が設けられた形式の従来周知の床ブラシと同様に構成されているものである。
【００６１】
つまり、図示しないが下面に開口した吸込開口を有する吸込室内に回転清掃体およびこの回転清掃体を駆動する電動機が配設された床ブラシ本体８１、この床ブラシ本体８１に回動可能に取り付けられた接続管８２とから構成されている（図１参照）。
【００６２】
そして、前記接続管８２の内管５０に接続される側には、一対の接続ピン８３が突設されており、この接続ピン８３は前記外管４０の一端側端面に設けた挿入孔４１jに挿入され前記接続片１４０の接触片部１４１に圧接状態で接触し、このことによって接続片１４０と接続ピン８３とは電気的に導通状態となるものである。また、前記接続ピン８３は、前記図示しないリード線を介して同様に図示しない電動機に接続されている。そして、接続管８２を外管４０に接続したときに前記接続片１４０、接続ピン８３および図示しないリード線を介して前記図示しない電動機に給電できるようになっている。
【００６３】
また、前記接続管８２の先端部には、図２に示すように前記操作つまみ７１に設けた係合爪７２が係合する係合凹部８５が形成されており、接続管８２を外管４０に嵌合すると前記係合爪７２が前記係合凹部８５に係合し、このことによって前記床ブラシ８０は外管４０つまり延長管３０に確実に接続されるものである。
【００６４】
そして、床ブラシ８０を延長管３０から取外すときは指先によって前記操作つまみ７１を前記コイルバネ７４の付勢力に抗して押して係合爪７２を係合凹部８５から離脱させた状態で接続管８２を外管４０から引き抜くことによってなされる。
【００６５】
つぎに、上記のように構成された延長管３０を伸縮させる場合の動作について説明する。
延長管３０を伸縮させる場合は、まず、操作つまみ６４を指先によって前記付勢バネ６９の付勢力に抗して押圧して反時計方向に回動させる。すると上述したように係止体６１は、その鍔部６２の下面に当接しているアーム６６によって上方に移動させられ、前記ブリッジ体５６に形成した係合凹部５６ａから離脱する。この状態では内管５０は軸方向の移動の規制が解除され、外管４０内を自由に移動させることができることから、内管５０を外管４０に対して軸方向に移動させて所望の長さに調節する。
【００６６】
そして、この調節の際に内管５０を外管４０に対して移動つまり相対移動させると、前記摺動室３１内にある前記ブリッジ体５６は、前記内管５０つまり内管本体５１と一体に移動し、その先端部に設けた摺接片５７ｂも同時に給電レール４７に摺接しつつ移動する。つまり、延長管３０を伸縮させるために内管５０を外管４０に対して移動させたとしても、給電レール４７とブリッジ体５６に設けた金属棒５７とは前記摺接片５７ｂを介して常に電気的導通状態に維持されるものである。
【００６７】
そして、延長管３０を前記所望の長さに調節した後、前記操作つまみ６４の押圧を解除する。この解除により操作つまみ６４は付勢バネ６９によって軸６８を支点として時計方向に回動し、押圧突起６５ｂによって係止体６１は下方に向けて押圧され、その先端部つまり係合部は前記ブリッジ体５６の係合凹部５６ａ内に入り込み係合する。
【００６８】
この係合によって内管５０の外管４０に対する軸方向への移動は規制され、その状態に確実に保持される。そして、係合凹部５６ａは内管５０の軸方向と直交する方向を軸方向とした穴として形成され、また、係止体６１も同様に内管５０および外管４０の軸方向と直交する方向に移動して前記係合凹部５６ａに係合するものであることから、掃除中に内管５０に軸方向に向かう強い力が加わったとしても、係止体６１が係合凹部５６ａから離脱することはなく、前記所望の長さに調節した状態に確実に保持されるものである。
【００６９】
したがって、掃除中に延長管３０は所望の長さに確実に保持されることから、掃除中に延長管３０が縮んで短くなるようなことはなく、床ブラシ８０の操作性を向上させることができるものである。
【００７０】
そして、前記延長管３０を用いて掃除をする場合は、掃除機本体１０の接続口１３に吸込ホース２０の接続具２２を接続し、この吸込ホース２０の把手部２３の嵌合口２６に前記延長管３０の一端側つまり内管５０の内管本体５１の嵌合筒部５２を嵌合させて接続する。この接続によって嵌合筒部５２に設けた係合凹部５２ｃに固定手段２７の係合爪２７ｂが係合し抜け止めされ、また、ブリッジ体５６に設けた接続ピン５７ａは接続片２６ａに圧接し電気的に導通状態となる。
【００７１】
つぎに、延長管３０の外管４０の外管本体４１の一端側に形成された接続口４９に、床ブラシ８０の接続管８２を嵌合して接続する。この接続によって接続管８２に形成した係合凹部８５に固定手段７０の係合爪７２が係合し抜け止めされ、また、給電レール４７に一体に形成した接続片１４０の接触片部１４１に接続ピン８３が圧接し電気的に導通状態となる。
【００７２】
そして、延長管３０を上述した手順により内管５０を外管４０に対して移動させて所望の長さに設定し、制御スイッチ２５を操作して電動送風機を駆動させるとともに、床ブラシ８０に設けた電動機を駆動させ回転清掃体を回転させて掃除をするものである。
【００７３】
上述のように、摺動室３１内にブリッジ体５６を挿入する構成として、この摺動室３１すなわち塵埃を含んだ吸込風とは隔離した室内で給電レール４７と金属棒５７の摺接片５７ｂとを摺動させるようにしたことから接触不良を防止できる。しかも、上記延長管３０は、外管４０の外管本体４１内に移動可能に挿入される内管本体５１、この内管本体５１の一端部側に基部側を固定されるとともに軸方向に沿って形成された複数の係合凹部５６ａを有するブリッジ体５６とから構成された内管５０の前記ブリッジ体５６に一対の金属棒５７を設け、この金属棒５７の一端側を内管本体５１の一端側に軸方向に向けて突出させて接続ピン５７ａとし、他端側を摺接片５７ｂを介して外管４０の摺動室３１内に位置する外周壁面に軸方向に沿って設けられた給電レール４７に摺接させたことから、前記金属棒５７つまり内管５０に設けた導体の一端側先端を接続ピンとしたことから、接続ピンを別に設ける必要がなく部品点数を少なくできるとともに、接続工程および接続状態を確認するための確認工程をなくすことができることから組立工数を低減できるとともに安価とすることができるものである。
また、前記金属棒５７によって接触不良を防止するために摺動室３１内に挿入されるブリッジ体５６の曲げ強度を大きくでき、また、この曲げ強度を大きくできることからブリッジ体５６の厚み寸法を小さくできるため摺動室を小さくでき伸縮延長管の外径を小さくできるものである。
【００７４】
また、外管４０を、外管本体４１とこの外管本体４１の外周壁面との間に軸方向に沿う摺動室３１を形成するカバー体４２とから構成し、外管本体４１の外周壁面とカバー体４２との間に軸方向に沿って形成された摺動室３１の前記外周壁面に軸方向に沿って設けた一対の給電レール４７の一端側に外管本体４１の一端部側に配置される接続片１４０を一体的に形成したことから、接続片を別に設ける必要がなく部品点数を少なくできるとともに、接続工程および接続状態を確認するための確認工程をなくすことができることから組立工数を低減できるとともに安価とすることができるものである。
【００７５】
上記延長管３０は金属棒５７と接続ピン５７ａ、給電レール４７と接続片１４０とは一体に形成されていることから、長期に亘る使用においても別体に形成されている場合のように接続部が剥離することによる導通不良をなくすことができ、また、導通不良に起因する吸込口体に設けた電動機の動作不良を防止できることから掃除の操作性を向上させることができるものである。
【００７７】
また、上記実施の形態においては、ブリッジ体５６を合成樹脂で形成したが、これは金属板で形成してもよく、この場合は金属棒をブリッジ体５６と電気的に絶縁して取り付けるようにすればよい。そして、ブリッジ体５６を金属板で形成した場合は、金属棒を電気的に絶縁しなければならないものの、ブリッジ体の曲げ強度を増加させることができることから、ブリッジ体の厚み寸法を小さくできるため、摺動室３１を小さくでき、したがって、延長管の外径を小さくできるものである。
【００７８】
【発明の効果】
上記のように請求項１記載の発明は、接続ピンが導電性金属棒に一体に形成されるため、接続ピンを別に設ける必要がなく部品点数を少なくできるとともに、接続ピンを接続する接続工程および接続状態を確認するための確認工程をなくすことができることから組立工数を低減できるとともに安価とすることができるという効果を有するものである。
また、前記導電性金属棒によってブリッジ体の曲げ強度を大きくでき、また、この曲げ強度を大きくできることからブリッジ体の厚み寸法を小さくできるため摺動室を小さくでき伸縮延長管の外径を小さくできるという効果を有するものである。
【００７９】
また、請求項２記載の発明は、請求項１記載の発明の作用に加えて、導電性金属棒と接続ピン、給電レールと接続片とは一体に形成されているため、別体に形成されている場合のように長期に亘る使用においても接続部が離れることによる導通不良をなくすことができるという効果を有するものである。また、導通不良に起因する吸込口体に設けた電動機の動作不良を防止できることから掃除の操作性を向上させることができるという効果を有するものである。
【図面の簡単な説明】
【図１】本発明の実施の形態の電気掃除機の斜視図。
【図２】上記電気掃除機の伸縮延長管の断面図。
【図３】上記伸縮延長管を中間部の一部を省略して示した断面図。
【図４】上記伸縮延長管の外管と内管を分解して状態を示す図。
【図５】上記伸縮延長管の外管の内管側端部の拡大断面図。
【図６】上記伸縮延長管の外管の内管側端部を軸方向と直交する方向に断面した断面図（図５におけるＡ−Ａ線での断面図）。
【図７】上記伸縮延長管の接続片を外管本体に取り付けた状態を示す平面図（カバー体を取外した状態）。
【図８】上記接続片の斜視図。
【符号の説明】
１            電気掃除機
１０          電気掃除機の本体ケース
１３          吸込口
２６          把手部（握り管）
３０          伸縮延長管
３１          摺動室
４０          外管
４１          外管本体
４２          カバー体
４７          給電レール
５０          内管
５１          内管本体
５６          ブリッジ体
５６ａ        係合凹部
５７          導電性金属棒
５７ａ        接続ピン
５７ｂ        摺接片
６０          固定手段
６１          係止体（係合凸部）
６９          付勢バネ
１４０        接続片
【図１】
0003655131.tif 000002
【図２】
0003655131.tif 000003
【図３】
0003655131.tif 000004
【図４】
0003655131.tif 000005
【図５】
0003655131.tif 000006
【図６】
0003655131.tif 000007
【図７】
0003655131.tif 000008
【図８】
0003655131.tif 000009